(57)【要約】【課題】集中しているユーザに対して快適な空調を提供する。【解決手段】空気調和システム１０は、ユーザの動きの量を検出する体動検出装置４８と、動きの量に基づいてユーザの活動量を推定する活動量推定部５４と、活動量に基づいて温度と風向と風速の少なくともいずれか１つを変更して空調を調整する空気調和装置２０と、第１の運転制御モードと第２の運転制御モードとを切り換える指示をユーザが行うための指示入力部４６とを備える。活動量推定部５４は、第１の運転制御モードにおいて推定される活動量に比べ、第２の運転制御モードにおいて推定される活動量の方が大きい。【選択図】図３
2020051696.tif 000002
【特許請求の範囲】
【請求項１】
ユーザが存在する室内の空調を行い、少なくとも第１の運転制御モードと第２の運転制御モードの空調運転を行う空気調和システムであって、
前記ユーザの動きの量を検出する体動検出装置と、
前記動きの量に基づいて前記ユーザの活動量を推定する活動量推定部と、
前記活動量に基づいて温度と風向と風速の少なくともいずれか１つを変更して空調を調整する空気調和装置と、
前記第１の運転制御モードと前記第２の運転制御モードとを切り換える指示を前記ユーザが行うための指示入力部と、を備え、
前記活動量推定部は、前記第１の運転制御モードにおいて推定される活動量に比べ、前記第２の運転制御モードにおいて推定される活動量の方が大きいことを特徴とする、
空気調和システム。
【請求項２】
前記指示入力部に前記第１の運転制御モードから前記第２の運転制御モードへの切り替えの指示がされる前において前記活動量が所定の値に比べて高い場合、第２の運転制御モードへの切り替えを行わずに、前記第１の運転制御モードを維持する、
請求項１に記載の空気調和システム。
【請求項３】
前記指示入力部に前記運転制御モードの切り換えが指示された後、
前記第２の運転制御モードにおいて推定される活動量が、前記運転制御モードの切り換えが指示された時の活動量に比べて上昇すると、前記空気調和装置が前記第２の運転制御モードを終了する、
請求項１または請求項２に記載の空気調和システム。
【請求項４】
少なくとも前記空気調和装置に対する前記ユーザが存在する方向を取得する位置情報取得部と、をさらに備え、
前記ユーザの存在する位置周辺に対して前記第２の運転制御モードの空調運転を実行する、
請求項１から３のいずれか１項に記載の空気調和システム。
【請求項５】
前記位置情報取得部は、前記室内を複数の領域に分けて、前記ユーザの存在する位置が前記複数の領域のいずれに該当するかで検出するものである、
請求項４に記載の空気調和システム。
【請求項６】
前記体動検出装置は、前記ユーザに装着されて加速度を測定する加速度測定装置であって、
前記活動量推定部が、加速度の変化に基づいて前記ユーザの活動量を推定する、
請求項１から５のいずれか１項に記載の空気調和システム。
【請求項７】
前記第２の運転制御モードの空調運転は、前記指示入力部に前記第１の運転制御モードから前記第２の運転制御モードへの切り替えの指示がされた後、所定の開始条件が成立すると、開始される、
請求項１から６のいずれか一項に記載の空気調和システム。
【請求項８】
前記所定の開始条件は、前記指示入力部に前記第１の運転制御モードから前記第２の運転制御モードへの切り替えの指示がされた後から所定の第１の時間経過すると成立する、
請求項７に記載の空気調和システム。
【請求項９】
前記所定の開始条件は、前記指示入力部に前記第１の運転制御モードから前記第２の運転制御モードへの切り替えの指示がされた後に、前記活動量推定部によって推定される活動量が低下すると成立する、
請求項７または８に記載の空気調和システム。
【請求項１０】
前記ユーザの体温を測定する体温測定部を有し、
前記所定の開始条件は、前記ユーザの体温が前記切り替えの指示時の体温から所定の温度まで上昇すると成立する、
請求項７から９のいずれか一項に記載の空気調和システム。
【請求項１１】
前記空気調和装置が、前記指示入力部に前記第１の運転制御モードから前記第２の運転制御モードへの切り替えの指示がされた後から所定の第２の時間経過するまで、前記ユーザの温冷感を低下させる予冷運転を実行する、
請求項１から１０のいずれか一項に記載の空気調和システム。
【請求項１２】
ユーザが存在する室内の空調を行い、
少なくとも第１の運転制御モードと第２の運転制御モードの空調を行う空気調和方法であって、
前記ユーザの動きの量を検出し、
前記動きの量に基づいて前記ユーザの活動量を推定し、
前記活動量に基づいて温度と風向と風速の少なくともいずれか１つを変更して空調を調整する空気調和を行い、
前記第１の運転制御モードにおいて推定される活動量に比べ、前記第２の運転制御モードにおいて推定される活動量の方が大きいことを特徴とする、空気調和方法。
【発明の詳細な説明】
【技術分野】
【０００１】
本発明は、ユーザが存在する室内の空調を行う空気調和システムおよび空気調和方法に関する。
【背景技術】
【０００２】
従来より、ユーザの活動量を検出し、その検出した活動量に基づいて空調を行う空気調和機が知られている（例えば特許文献１）。
【先行技術文献】
【特許文献】
【０００３】
【特許文献１】特開２００８−２１５７６４号公報
【発明の概要】
【発明が解決しようとする課題】
【０００４】
しかしながら、特許文献１の空気調和機の場合、ユーザの身体の動きに基づいた活動量を指標としている。そのため、知的作業に集中すること等によって、暑く感じているユーザに対して快適な空調を提供することができなかった。
【０００５】
そこで、本発明は、知的作業に集中しているユーザに対しても快適な空調を提供することを課題とする。
【課題を解決するための手段】
【０００６】
上述の課題を解決するために、本発明の一態様によれば、
ユーザが存在する室内の空調を行い、少なくとも第１の運転制御モードと第２の運転制御モードの空調運転を行う空気調和システムであって、
前記ユーザの動きの量を検出する体動検出装置と、
前記動きの量に基づいて前記ユーザの活動量を推定する活動量推定部と、
前記活動量に基づいて温度と風向と風速の少なくともいずれか一つを変更して空調を調整する空気調和装置と、
前記第１の運転制御モードと前記第２の運転制御モードとを切り換える指示を前記ユーザが行うための指示入力部と、を備え、
前記活動量推定部は、前記第１の運転制御モードにおいて推定される活動量に比べ、前記第２の運転制御モードにおいて推定される活動量の方が大きいことを特徴とする、空気調和システムが提供される。
【０００７】
また、本発明の別態様によれば、
ユーザが存在する室内の空調を行い、
少なくとも第１の運転制御モードと第２の運転制御モードの空調を行う空気調和方法であって、
前記ユーザの動きの量を検出し、
前記動きの量に基づいて前記ユーザの活動量を推定し、
前記活動量に基づいて温度と風向と風速の少なくともいずれか１つを変更して空調を調整する空気調和を行い、
前記第１の運転制御モードにおいて推定される活動量に比べ、前記第２の運転制御モードにおいて推定される活動量の方が大きいことを特徴とする、
空気調和方法が提供される。
【発明の効果】
【０００８】
本発明によれば、知的作業に集中しているユーザに対して快適な空調を提供することができる。
【図面の簡単な説明】
【０００９】
【図１】本発明の実施の形態１に係る空気調和システムの概略図
【図２】空気調和システムにおける空気調和装置の構成を概略的に示す図
【図３】空気調和システムのブロック図
【図４】空気調和装置の空調可能領域を複数に分割した領域である複数の空調対象領域を示す図
【図５】集中状態のユーザの温冷感の変化を示す図
【図６】集中モード運転時のユーザの温冷感の変化を示す図
【図７】集中モード運転時のユーザの体温変化を示す図
【図８】空気調和装置の集中モード運転時における動作の流れの一例を示すフローチャート
【図９】空気調和システムの空気調和装置の集中モード運転時における動作の流れの別例を示すフローチャート
【図１０】本発明の実施の形態２に係る空気調和システムの空気調和装置の集中モード運転時における動作の流れの一例を示すフローチャート
【図１１】本発明の実施の形態３に係る空気調和システムの空気調和装置の集中モード運転時における動作の流れの一例を示すフローチャート
【発明を実施するための形態】
【００１０】
本発明の一態様の空気調和システムは、ユーザが存在する室内の空調を行い、少なくとも第１の運転制御モードと第２の運転制御モードの空調運転を行う空気調和システムであって、前記ユーザの動きの量を検出する体動検出装置と、前記動きの量に基づいて前記ユーザの活動量を推定する活動量推定部と、前記活動量に基づいて温度と風向と風速の少なくともいずれか１つを変更して空調を調整する空気調和装置と、前記第１の運転制御モードと前記第２の運転制御モードとを切り換える指示を前記ユーザが行うための指示入力部と、を備え、前記活動量推定部は、前記第１の運転制御モードにおいて推定される活動量に比べ、前記第２の運転制御モードにおいて推定される活動量の方が大きいことを特徴とし、その活動量に対応する空調運転が実行される。
【００１１】
ここで、ユーザの動きの量とは、ユーザの体の部位の移動量に相当するものである。後述するように、ユーザの体の部位の移動量を用いて推定するものでもよい。また、加速度を用いて、ユーザの体の部位の動きの速度や加速度を用いて推定してもよい。
【００１２】
このような態様によれば、知的作業に集中しているユーザに対して快適な空調を提供することができる。
【００１３】
例えば、前記指示入力部に前記第１の運転制御モードから前記第２の運転制御モードへの切り替えの指示がされる前において前記活動量が所定の値比べて高い場合、前記第２の運転制御モードへの切り替えを行わずに、前記第１の運転制御モードを維持してもよい。これにより、室内で知的作業を行っておらず、活動量の大きい作業を行っているユーザに対しては、活動量に対応した快適な空調を提供できる。
【００１４】
例えば、前記指示入力部に前記運転制御モードの切り換えが指示された後、前記第２の運転制御モードにおいて推定される活動量が、前記運転制御モードの切り換えが指示された時の活動量に比べて上昇すると、前記空気調和装置が前記第２の運転制御モードを終了してもよい。これにより、集中が切れたユーザに対して不必要な空調を提供することが抑制される。
【００１５】
例えば、前記空気調和システムが、少なくとも前記空気調和装置に対する前記ユーザが存在する方向を取得する位置情報取得部を、さらに備え、前記ユーザの存在する位置周辺に対して前記第２の運転制御モードの空調運転を実行してもよい。
【００１６】
例えば、前記位置情報取得部は、前記室内を複数の領域に分けて、前記ユーザの存在する位置が前記複数の領域のいずれに該当するかで検出するものでもよい。これにより、前記第１の運転制御モードと前記第２の運転制御モードとを切り換える指示を行っていない別のユーザに対して不要な空調運転を実行して該別のユーザが不快に感じることが抑制される。
【００１７】
例えば、前記体動検出装置は、前記ユーザに装着されて加速度を測定する加速度測定装置であって、前記活動量推定部が、加速度の変化に基づいて前記ユーザの活動量を推定してもよい。これにより、ユーザの細かな動きに基づいて活動量を推定することができる。
【００１８】
例えば、前記第２の運転制御モードの空調運転は、前記指示入力部に前記第１の運転制御モードから前記第２の運転制御モードへの切り替えの指示がされた後、所定の開始条件が成立すると、開始されてもよい。
【００１９】
例えば、前記所定の開始条件は、前記指示入力部に前記第１の運転制御モードから前記第２の運転制御モードへの切り替えの指示がされた後から所定の第１の時間経過すると成立する条件であってもよい。
【００２０】
例えば、前記所定の開始条件は、前記指示入力部に前記第１の運転制御モードから前記第２の運転制御モードへの切り替えの指示がされた後に、前記活動量推定部によって推定される活動量が低下すると成立する条件であってもよい。
【００２１】
例えば、前記空気調和システムは、前記ユーザの体温を測定する体温測定部を有し、前記所定の開始条件は、前記ユーザの体温が前記切り替えの指示時の体温から所定の温度まで上昇すると成立する条件であってもよい。
【００２２】
例えば、前記空気調和装置が、前記指示入力部に前記第１の運転制御モードから前記第２の運転制御モードへの切り替えの指示がされた後から所定の第２の時間経過するまで、前記ユーザの温冷感を低下させる予冷運転を実行してもよい。これにより、ユーザに対して冷刺激を与え、ユーザの集中力の上昇を促進することができる。
【００２３】
本発明の別態様の空気調和方法は、ユーザが存在する室内の空調を行い、少なくとも第１の運転制御モードと第２の運転制御モードの空調を行う空気調和方法であって、前記ユーザの動きの量を検出し、前記動きの量に基づいて前記ユーザの活動量を推定し、前記活動量に基づいて温度と風向と風速の少なくとも１つを変更して空調を調整する空気調和を行い（前記活動量に基づいて、温度と風向と風速のいずれかを補正し、空調を調整する空気調和を実行し、）、前記第１の運転制御モードにおいて推定される活動量に比べ、前記第２の運転制御モードにおいて推定される活動量の方が大きいことを特徴とし、活動量に対応する空調運転が実行される。
【００２４】
このような態様によれば、知的作業に集中しているユーザに対して快適な空調を提供することができる。
【００２５】
以下、本発明の実施の形態について、図面を参照しながら説明する。
【００２６】
（実施の形態１）
図１は、本発明の実施の形態１に係る空気調和システムを概略的に示している。図２は、空気調和システムにおける空気調和機の構成を概略的に示している。
【００２７】
図１に示すように、本実施の形態１に係る空気調和システム１０は、ユーザＷが存在する室内Ｓの空調を行うシステムであって、特に集中して勉強などの知的作業を行うユーザＷに対して快適な空調を提供可能に構成されている。
【００２８】
そのために、空気調和システム１０は、室内Ｓの空調を行う空気調和装置２０を有する。
【００２９】
図２に示すように、本実施の形態１の場合、空気調和装置２０は、室内機２２と室外機２４とを有する。図１に示すように、空気調和装置２０の室内機２２は、室内Ｓに設置される。室外機２４は、その室外に設置される。空気調和装置２０のユーザＷは、室内機２２が設置された室内Ｓに存在する。
【００３０】
図２に示すように、空気調和装置２０は、室内機２２に設けられた室内熱交換器２６と、室外機２４に設けられた室外熱交換器２８と、冷媒を圧縮する圧縮機３０と、冷媒の流れ方向を切り換える四方弁３２と、冷媒を減圧する膨張弁３４と、これらを接続する冷媒配管３６とを有する。また、室内機２２には、室内熱交換器２６と熱交換した後の空気を室内に送風する室内ファン３８と、室内機２２から送出される空気（気流ＡＦ）の向きを変更する上下ルーバー４０、左右ルーバー４２とが設けられている。さらに、室外機２４には、室外熱交換器２８と熱交換した後の空気を屋外に送風する室外ファン４４が設けられている。
【００３１】
図２は、冷房運転時の空気調和装置２０の状態を示している。冷房運転時、圧縮機３０から吐出された冷媒は、四方弁３２、室外熱交換器２８、膨張弁３４、室内熱交換器２６、および四方弁３２を順に通過して圧縮機３０に戻る。一方、暖房運転時、圧縮機３０から吐出された冷媒は、四方弁３２、室内熱交換器２６、膨張弁３４、室外熱交換器２８、および四方弁３２を順に通過して圧縮機３０に戻る。
【００３２】
室内ファン３８は、冷房運転時には室内熱交換器２６との熱交換によって冷やされた空気を室内Ｓに向かって送風し、暖房運転時には室内熱交換器２６との熱交換によって温められた空気を送風する。
【００３３】
上下ルーバー４０および左右ルーバー４２は、室内機２２から室内Ｓに向かって送風される気流ＡＦ（室内熱交換器２６と熱交換した後の空気）の向きを上下方向および左右方向について変更する。
【００３４】
図３は、空気調和システムのブロック図である。
【００３５】
図３に示すように、空気調和システム１０は、ユーザＷの活動量に基づいて空気調和装置２０を制御するために、リモートコントローラ４６、人体検出センサ４８、および制御装置５０を有する。なお、本実施の形態１の場合、空気調和システム１０の制御装置５０は、空気調和装置２０自体の制御装置である。
【００３６】
リモートコントローラ４６は、空気調和システム１０の指示入力部として機能し、ユーザＷが空気調和装置２０を遠隔操作するためのコントローラである。
【００３７】
人体検出センサ４８は、室内ＳでのユーザＷを検出するためのセンサであって、具体的にはユーザの動きの量を検出する体動検出装置として機能する。本実施の形態１の場合、図１に示すように、人体検出センサ４８は、空気調和装置２０の室内機２２に搭載されている。また、人体検出センサ４８は、検出エリアが異なる複数の赤外線センサ素子から構成されている。赤外線センサ素子それぞれは、例えば人体から放射される赤外線を検知し、検知する赤外線量の変化に応じて出力されるパルス信号に基づいて人体の在否が判定され、制御装置５０に出力するように構成されている。制御装置５０は、赤外線量の変化に応じたパルス信号に基づいて、活動の頻度と、変化量が検知される赤外線センサ素子に対する領域の大きさとに基づいて活動量を判断する。
【００３８】
また、空気調和システム１０は位置情報取得部を有する。位置情報取得部は、少なくとも前記空気調和装置に対する前記ユーザが存在する方向を取得する。本実施の形態では、人体検出センサ４８が、位置情報取得部を兼ねる。すなわち、複数の赤外線センサ素子それぞれが検知する室内Ｓの領域と空気調和機２０との距離が異なり、赤外線センサ素子それぞれの光軸が互いにねじれの位置に設けられている。これにより、室内Ｓを図４に示すような複数の領域である空調対象領域Ａ〜Ｈに分割して検知することができる。このような人体検出センサ４８により、空調対象領域Ａ〜Ｈと活動量との関係を明確にする。すなわち、活動量が空調対象領域Ａ〜Ｈのいずれの位置で起こっているかを判定する。
【００３９】
制御装置５０は、例えば、空気調和装置２０の室内機２２に搭載された回路基板であって、プログラムなどが記憶されたメモリなどの記憶装置と、記憶装置に記憶されたプログラムにしたがって動作するＣＰＵなどのプロセッサとを備える。これにより、制御装置５０は、運転制御部５２、活動量推定部５４、および運転条件決定部５６を備える（記憶装置５８に記憶されているプログラムにしたがって動作するプロセッサがこれらとして機能する）。
【００４０】
図３に示すように、制御装置５０の運転制御部５２は、リモートコントローラ４６に対するユーザＷの指示入力に基づいて、圧縮機３０、室内ファン３８、上下ルーバー４０、および左右ルーバー４２を制御して室内Ｓに対する空調運転を実行するように構成されている。例えば、リモートコントローラ４６に対して設定温度が入力されると、制御装置５０の運転制御部５２は、室内温度を設定温度で維持する空調運転を実行する。なお、そのために、室内温度を測定する温度センサ（図示せず）が、例えば室内機２２に設けられている。
【００４１】
また、制御装置５０の運転制御部５２は、ユーザＷの活動量に基づいて、室内Ｓの空調を行うことが可能に構成されている。具体的には、活動量推定部５４が人体検出センサ４８の検出結果に基づいてユーザＷの活動量を推定し、その推定された活動量に基づいて運転条件決定部５６が運転条件を決定し、その決定された運転条件に基づいて運転制御部５２が空調運転を実行する。この活動量に基づく空調運転（第１の運転制御モードの空調運転）について説明する。
【００４２】
まず、活動量は人の動きの激しさ（すなわち単位時間あたりの動きの大きさ）を表す指標であって、大きいほど、動きが激しく、そのために人の温冷感を上昇させる。ここで言う「温冷感」は、「暑い」、「暖かい」、「快適」、「涼しい」、または「寒い」などの温度に関する人の感覚を言う。
【００４３】
活動量推定部５４は、このような活動量を、人体検出センサ４８の検出結果に基づいて推定するように構成されている。本実施の形態１の場合、活動量推定部５４は、活動量を４つのレベルに分類して推定するように構成されている。具体的には、活動量を、「安静」レベル、「小」レベル、「中」レベル、および「大」レベルに分類する。
【００４４】
「安静」レベルの活動量は、例えば、ソファでくつろいでいる、テレビを視聴しているなど、人が実質的に身体を動かすことなく同じ場所に居続ける場合の活動量である。この場合、代謝量が低下するので、人は寒く感じる。
【００４５】
「小」レベルの活動量は、例えば、食事をしているなど、同じ場所に居続ける状態で実質的に上半身のみが部分的に動いている場合の活動量である。この場合、代謝量に大きな変化はなく、人は暑くもなく寒くもない。
【００４６】
「中」レベルの活動量は、例えば炊事をしているなど、全身を使いつつ狭い範囲で移動している場合の活動量である。この場合、代謝量がやや増加し、人はやや暑く感じる。
【００４７】
そして、「大」レベルの活動量は、例えば室内を掃除しているなど、全身を使いつつ広い範囲で移動している場合の活動量である、この場合、代謝量が増加し、人は暑く感じる。
【００４８】
活動量推定部５４は、例えば、人体検出センサ４８における複数の赤外線センサ素子それぞれの反応頻度、すなわち赤外線量の変化を検出して信号を出力する頻度に基づいて、ユーザＷの活動量を推定する。
【００４９】
まず、活動量推定部５４は、人体検出センサ４８の複数の赤外線センサ素子において、反応頻度が２分あたり５回未満であって且つその状態が３０分以上継続している赤外線センサ素子が存在する場合、その検出エリアを「安静」レベルの活動量のユーザＷが存在しうる「安静」領域と推定する。
【００５０】
また、活動量推定部５４は、全ての赤外線センサ素子の反応頻度合計が２分あたり４０回以上であって且つ少なくとも１つの赤外線センサ素子の反応頻度が２分あたり５回以上である場合、「安静」領域を除く領域を、「大」レベルの活動量のユーザＷが存在しうる「活動量大」領域と推定する。
【００５１】
さらに、活動量推定部５４は、全ての赤外線センサ素子の反応頻度合計が２分あたり４０回未満である場合、反応頻度が２分あたり５回以上である赤外線センサ素子の検出エリアを「中」レベルの活動量のユーザＷが存在しうる「活動量中」領域と推定する。
【００５２】
そして、活動量推定部５４は、「安静」領域、「活動量大」領域、および「活動量中」領域を除く領域を「活動量小」領域と推定する。
【００５３】
このような判定基準に基づけば、図４に示す複数の空調対象領域Ａ〜Ｈそれぞれを、「安静」領域、「活動量小」領域、「活動量中」領域、および「活動量大」領域に分類することができる。すなわち、ユーザＷの活動量（活動量レベル）と該ユーザＷが居る空調対象領域とを推定することができる。
【００５４】
運転条件決定部５６は、活動量推定部５４によって推定されたユーザＷの活動量に基づいて、すなわち「安静」領域、「活動量小」領域、「活動量中」領域、および「活動量大」領域それぞれに対する空気調和装置２０の運転条件を決定する。
【００５５】
「安静」領域に対する運転条件として、ユーザは代謝量が低下して寒く感じているので、運転条件決定部５６は、室内温度を設定温度に比べて高い温度にする、例えば１℃上げる運転条件を決定する。
【００５６】
「活動量小」領域に対する運転条件として、運転条件決定部５６は、室内温度を維持する運転条件を決定する。
【００５７】
「活動量中」領域に対する運転条件として、ユーザは代謝量がやや増加してやや暑く感じているので、運転条件決定部５６は、室内温度を設定温度に比べてやや低い温度にする、例えば１℃下げる運転条件を決定する。
【００５８】
そして、「活動量大」領域に対する運転条件として、ユーザは代謝量が増加して暑く感じているので、運転条件決定部５６は、室内温度を設定温度に比べて低い温度にする、例えば２℃下げる運転条件を決定する。
【００５９】
すなわち、運転条件決定部５６は、ユーザＷの活動量が大きいほど、そのユーザＷの温冷感を大きく低下させる運転条件を決定する。そして、このように運転条件決定部５６によって決定された運転条件に基づいて運転制御部５２が空気調和装置２０の空調運転を実行する。これにより、ユーザＷは、「暑い」または「寒い」と感じることなく、快適な空調環境で過ごすことができる。
【００６０】
なお、このように空調対象領域ごとに異なる空調は、図２に示す上下ルーバー４０および左右ルーバー４２を介して気流ＡＦの向きを適切に制御しつつ、圧縮機３０の回転数や室内ファン３８の出力を適切に制御することによって実現可能である。例えば、冷房運転時においては、「安静」領域に向かって気流ＡＦが流れるタイミングでは室内ファン３８の回転数を低下させ、「活動量大」領域に向かって気流ＡＦが流れるタイミングでは室内ファン３８の回転数を上昇させる。これにより、空調対象領域ごとに、すなわち活動量が異なる複数のユーザそれぞれに対して快適な空調を提供することができる。
【００６１】
ところで、図１に示すように、ユーザＷが、例えば勉強などの知的作業を行っている場合、すなわち身体を実質的に動かすことなく集中している場合がある。この場合、活動量推定部５４は、ユーザＷの活動量を低いと推定する可能性がある。
【００６２】
図５は、集中状態のユーザの温冷感変化を示す図である。
【００６３】
図５に示すように、ユーザＷが集中を要する知的作業を開始すると、すなわちユーザＷが集中し始める（タイミングＰ１）と、その開始からしばらくした後（タイミングＰ２）、ユーザＷの温冷感が上昇し始める。このとき、ユーザＷは、身体全体ではなく、頭部が熱いと感じ始めている。なお、タイミングＰ１からタイミングＰ２までの所定の第１の時間ＰＰ１は、集中し始めてから集中力が最大になるまでの時間であって、個人差はあるものの１３分〜１６分の範囲で平均１５分である。また、温冷感は、例えばＰＭＶ（Ｐｒｅｄｉｃｔｅｄ  Ｍｅａｎ  Ｖｏｔｅ）に基づくものである。
【００６４】
ユーザＷが温冷感として頭部が熱いと感じているとき（タイミングＰ２後）、活動量推定部５４は、ユーザＷの活動量として、「安静」レベルまたは「小」レベルの活動量を推定しうる。これは、ユーザＷが実質的に動いておらず、上述した活動量の判定基準によれば、ユーザＷの活動量が「安静」レベルまたは「小レベル」に相当するからである。
【００６５】
したがって、ユーザＷが最大の集中によって「暑い」と感じているにもかかわらず、活動量推定部５４がユーザＷの活動量を「安静」レベルまたは「小」レベルと推定すると、運転条件決定部５６が室内温度を上昇させるまたは室内温度を維持する運転条件を決定する。その運転条件に基づいて空気調和装置２０が空調運転を実行する。その結果、「暑い」と感じているユーザＷが室内温度の上昇または維持によって不快感を覚え、集中力が低下する。
【００６６】
この対処として、本実施の形態１に係る空気調和システム１０は、集中によって「暑い」と感じているユーザＷにとって快適な空調（第２の運転制御モードの空調）を提供するように構成されている。
【００６７】
集中によって「暑い」と感じているユーザＷにとって快適な空調を提供するためには、ユーザＷの集中が最大に達したタイミングＰ２を知る必要があり、また、そのタイミングＰ２を知るためには、ユーザＷが集中し始めるタイミングＰ１を知る必要がある。そこで、本実施の形態１の空気調和システム１０は、集中モード運転をユーザＷに提供するように構成されている。
【００６８】
具体的には、空気調和システム１０は、ユーザＷが集中モード運転の開始を空気調和装置２０に指示するための指示入力部を有する。すなわち、第１の運転制御モードから第２の運転モードに切り替え指示するための指示入力部を有する。本実施の形態１の場合、指示入力部は、リモートコントローラ４６である。例えば、リモートコントローラ４６は、「集中モード」ボタンを備える。なお、集中モード運転の開始時刻を入力することにより、集中モード運転の開始を予約できるようにしてもよい。また、リモートコントローラ４６は、空気調和装置２０を操作する専用のコントローラであってもよいし、ユーザＷの携帯端末であってもよい。携帯端末である場合、空気調和装置２０を操作するためのソフトウェアが携帯端末にインストールされる。
【００６９】
ユーザＷがリモートコントローラ４６を介して空気調和装置２０に集中モード運転の開始を指示すると、空気調和装置２０は、その指示タイミングをユーザＷが集中し始めるタイミングＰ１とし、集中モード運転を開始する。その集中モード運転について具体的に説明する。
【００７０】
図６は、集中モード運転時のユーザの温冷感の変化を示している。また、図７は、集中モード運転時のユーザの体温変化を示している。なお、図６において、破線は、集中モード運転を実行していない場合、算出されるユーザの温冷感の変化を示している。
【００７１】
図６に示すように、本実施の形態１の場合、集中モード運転が開始されると、空気調和装置２０は、まず、集中モード運転の開始後に活動量推定部５４によって推定された「安静」領域および「小」領域を、集中し始めたユーザＷが存在する「集中」領域と認定する。
【００７２】
その「集中」領域に対して、ユーザＷの温冷感の低下させる予冷運転、例えば室内温度を低下させる空調運転を、空気調和装置２０は実行する。予冷運転として、例えば、所定の第２の時間ＰＰ２（例えば３〜５分間）が経過するまでに、集中モード運転の開始タイミングＰ１における設定温度に比べて３℃低い室内温度にする空調運転が実行される。この予冷運転により、ユーザＷに対して冷刺激を与え、ユーザＷの集中力の上昇を促進することができる。
【００７３】
予冷運転の終了後、空気調和装置２０は、「集中」領域に対して、予冷運転によって低下したユーザＷの温冷感を維持する、例えば予冷運転完了後の室内温度を維持する空調運転を実行する。
【００７４】
集中モード運転の開始タイミングＰ１後、所定の開始条件が成立すると、空気調和装置２０は、「集中」領域に対して、ユーザＷの活動量に基づく集中維持運転（第２の運転制御モードの空調運転）を開始する。すなわち、ユーザによる第１の運転制御モードから第２の運転モードに切り替え指示後、所定の開始条件が成立すると、第１の運転制御モードから第２の運転制御モードに切り替わる。この集中維持運転は、集中モード運転の一部である。所定の開始条件は、ユーザＷの集中力が最大に達したときに成立する条件である。本実施の形態１の場合、所定の開始条件は、集中モード運転の開始タイミングＰ１から所定の第１の時間ＰＰ１、例えば１５分経過すると成立する、すなわちタイミングＰ２が発生すると成立する。
【００７５】
所定の開始条件が成立すると、空気調和装置２０は、集中維持運転として、活動量推定部５４によって推定された活動量に比べて高い活動量に対応する空調運転を実行する。
【００７６】
本実施の形態１の場合、運転条件決定部５６は、集中維持運転として、「集中」領域が「安静」領域である場合には、「活動量小」領域に対応する運転条件を決定する。また、「集中」領域が「活動量小」領域である場合には、「活動量中」領域に対応する運転条件を決定する。あるいは、集中維持運転として、「集中」領域が「安静」領域および「活動量小」領域のいずれであっても、「活動量中」領域に対応する運転条件が決定される。言い換えると、集中モード運転において集中維持運転が開始されると、活動量推定部５４によって推定される活動量が増加補正され、その増加補正された活動量に基づく空調運転が実行される。これにより、図７に示すように集中力が最大に達することによって体温が上昇し始めたユーザＷ、すなわち「暑い」と感じ始めたユーザＷの温冷感を、増加補正されていない活動量に基づく場合に比べて、「涼しい」側にシフトさせることができる。なお、ここで言う「体温」は、上述したように赤外線を放射するユーザＷの身体表面の温度ではなく、ユーザＷの内部温度、すなわちユーザＷの身体表面に直接的に接触して測定される温度、例えば体温計などで測定できる温度を言う。
【００７７】
ただし、集中モード運転の開始前において（すなわち第１の運転制御モードから第２の運転制御モードへの切り替えの指示がされる前において）、ユーザの活動量が所定の値に比べて高い場合、例えば活動量が「中」レベルまたは「大」レベルである場合、集中維持運転を実行しない（すなわち第２の運転制御モードへの切り替えを行わずに、第１の運転制御モードを維持する）。これにより、室内で知的作業を行っておらず、活動量の大きい作業を行っているユーザに対しては、活動量に対応した快適な空調を提供できる。
【００７８】
このような集中モード運転により、図６に示すように、「集中」領域に存在し、集中力が最大に達することによって「暑い」と感じ始めた（温冷感が上昇し始めた）ユーザＷに対して、その温冷感を低下させる、すなわち温冷感の上昇を抑制する空調が提供される。その結果、空調によってユーザＷの集中が妨害されずに、ユーザＷの集中力は、スムーズに上昇し、最大に達した後はその状態を維持される。また、「集中」領域以外の空調対象領域に対しては集中モード運転が行われないため、「集中」領域に存在しない、集中モード運転を指示していない別のユーザに対して不要な集中モード運転を実行して該別のユーザが不快に感じることが抑制される。
【００７９】
このような集中モード運転は、ユーザＷによってリモートコントローラ４６を介して終了指示が空気調和装置２０に対して実行されると終了する。あるいは、ユーザの集中が切れると、集中モード運転は自動的に終了する。例えば、集中モード運転中において、活動量推定部５４によって推定された活動量が上昇すると、例えば活動量が「中」レベルまたは「大」レベルに上昇すると、すなわちユーザＷが移動し始めると、集中モード運転は自動的に終了する。これにより、集中が切れたユーザに対して不必要な空調を提供することが抑制される。なお、集中モード運転の継続時間をユーザが設定し、集中モード運転の開始からその設定された継続時間が経過すると、集中モード運転を終了するようにしてもよい。集中モード運転が終了すると、空気調和装置２０は、集中モード運転直前の空調運転に戻る、または駆動停止する。
【００８０】
次に、空気調和装置２０の集中モード運転時における動作の流れについて説明する。
【００８１】
図８は、空気調和装置の集中モード運転時における動作の流れの一例を示すフローチャートである。
【００８２】
図８に示す一連の動作は、ユーザＷによって集中モード運転の開始が指示されてスタートする。
【００８３】
ステップＳ１００において、空気調和装置２０は、活動量推定部５４によって推定された「安静」領域および／または「活動量小」領域が存在するか否かを判定する。すなわち、実質的に身体を動かすことなく集中しているユーザＷが存在しているか否かを判定する。「安静」領域および／または「活動量小」領域が存在する場合、ステップＳ１１０に進む。そうでない場合、集中モード運転を終了する。
【００８４】
ステップＳ１１０において、空気調和装置２０は、「安静」領域および／または「活動量小」領域を、集中し始めたユーザＷが存在する「集中」領域と認定する。
【００８５】
ステップＳ１２０において、空気調和装置２０は、ステップＳ１１０で認定された「集中」領域に対して、設定温度より３℃低い室内温度にするための予冷運転を、３〜５分間で実行する。これにより、室内温度が設定温度より低い温度になり、「集中」領域に存在するユーザＷに対して冷刺激を与え、ユーザＷの集中力の上昇を促進する。
【００８６】
ステップＳ１２０での予冷運転が完了すると、ステップＳ１３０において、空気調和装置２０は、「集中」領域に対して、予冷運転完了後の室内温度、すなわち設定温度より３℃低い温度を維持し、集中途中のユーザＷの温冷感を維持する空調運転を開始する。
【００８７】
ステップＳ１４０において、空気調和装置２０は、「集中」領域の活動量レベルが変化していないか否か、すなわちユーザＷの活動量が「安静」レベルおよび／または「小」レベルであるか否かを判定する。活動量レベルが変化していない場合、ステップＳ１５０に進む。そうでない場合、ユーザＷの集中が切れて該ユーザＷの活動量が増加したと判定し、集中モード運転を終了する。
【００８８】
ステップＳ１５０において、空気調和装置２０は、集中モード運転が開始されてから１５分経過したか否かを判定する。すなわち、集中維持運転を開始する所定の開始条件が成立したか否かを判定する。１５分経過した場合、ステップＳ１６０に進む。そうでない場合、ステップＳ１４０に戻る。
【００８９】
ステップＳ１６０において、「安静」領域および／または「活動量小」領域である「集中」領域に対して、集中維持運転として、「活動量中」領域に対応する空調運転を開始する。すなわち、集中によって「暑い」と感じているユーザＷの温冷感を低下させる、例えば室内温度を設定温度に比べてやや低い温度にする、例えば１℃下げる集中維持運転を開始する。
【００９０】
ステップＳ１７０において、ステップＳ１４０と同様に、空気調和装置２０は、「集中」領域の活動量レベルが変化していないか否かを判定する。活動量レベルが変化していない場合、ステップＳ１８０に進む。そうでない場合、ユーザＷの集中が切れて該ユーザＷの活動量が増加したと判定し、集中モード運転を終了する。
【００９１】
ステップＳ１８０において、空気調和装置２０は、集中モード運転を終了するフラグが発生したか否かを判定する。この運転終了フラグは、例えは、ユーザが集中モード運転の終了や駆動停止を空気調和装置２０にリモートコントローラ４６を介して指示したときに発生する。なお、集中モード運転の継続時間をユーザが設定し、集中モード運転の開始からその設定された継続時間が経過すると運転終了フラグが発生するように空気調和装置２０は構成されてもよい。運転終了フラグが発生すると、空気調和装置２０は、集中モード運転を終了する。集中モード運転の終了後は、空気調和装置２０は、集中モード運転開始直前の空調運転を開始してもよいし、駆動停止してもよい。運転終了フラグが発生していない場合には、ステップＳ１７０に戻る。
【００９２】
なお、実際には、活動量推定部５４によって推定される「安静」領域と「活動量小」領域の合計が２つ以上の場合がありうる。例えば、二人のユーザが異なる空調対象領域で集中を要する知的作業を行う可能性がある。
【００９３】
この場合の空気調和装置２０の集中モード運転時における動作の流れについて説明する。
【００９４】
図９は、空気調和装置の集中モード運転時における動作の流れの別例を示すフローチャートである。図８に示すフローチャート図と異なる点は、ステップＳ１４２、Ｓ１４４が追加されている点である。したがって、追加されたステップＳ１４２、１４４について説明する。
【００９５】
ステップＳ１４０で「集中」領域の活動量レベルが変化していると判定された場合、ステップＳ１４２において、空気調和装置２０は、「集中」領域から活動量レベルが上昇した領域を削除する。
【００９６】
続いて、ステップＳ１４４において、空気調和装置２０は、「安静」領域および／または「活動量小」領域が存在するか否か、すなわちステップＳ１４２での削除後に残っているか否かを判定する。「安静」領域および／または「活動量小」領域が存在する場合は、ステップＳ１５０に進む。そうでない場合は、集中モード運転を終了する。
【００９７】
以上のような本実施の形態１によれば、知的作業に集中しているユーザに対して快適な空調を提供することができる。
【００９８】
（実施の形態２）
上述の実施の形態１では、集中モード運転中において、集中維持運転を開始するための所定の開始条件は、集中モード運転を開始してから所定の第１の時間（例えば１５分）経過すると成立する。本実施の形態２は、集中モード運転中において集中維持運転を開始する所定の開始条件が上述の実施の形態１のものと異なる。したがって、この異なる所定の開始条件を中心にして本実施の形態２について説明する。
【００９９】
本実施の形態２の空気調和システムの場合、集中モード運転中において、「集中」領域の活動量が低下すると（例えば所定量低下すると）、所定の開始条件が成立したとして、集中維持運転を開始する。例えば、「集中」領域と認定された「活動量小」領域の活動量レベルが「安静」領域の活動量レベルに低下すると所定の開始条件が成立する。また、「集中」領域と認定された「安静」領域および「活動量小」領域それぞれにおいて、人体検出センサにおける複数の赤外線センサ素子の反応頻度が所定のしきい値を超えて低下すると所定の開始条件が成立する。
【０１００】
次に、本実施の形態２に係る空気調和システムの空気調和装置における集中モード運転時の動作の流れについて説明する。
【０１０１】
図１０は、本実施の形態２に係る空気調和システムの空気調和装置の集中モード運転時における動作の流れの一例を示すフローチャート図である。
【０１０２】
図１０に示す一連の動作は、ユーザＷによって集中モード運転の開始が指示されてスタートする。
【０１０３】
ステップＳ２００において、空気調和装置は、活動量推定部によって推定された「安静」領域および／または「活動量小」領域が存在するか否かを判定する。「安静」領域または「活動量小」領域が存在する場合、ステップＳ２１０に進む。そうでない場合、集中モード運転を終了する。
【０１０４】
ステップＳ２１０において、空気調和装置は、「安静」領域および／または「活動量小」領域を、集中し始めたユーザＷが存在する「集中」領域と認定する。
【０１０５】
ステップＳ２２０において、空気調和装置は、ステップＳ２１０で認定された「集中」領域に対して、設定温度より３℃低い室内温度にするための予冷運転を、３〜５分間で実行する。これにより、室内温度が設定温度より低い温度になり、「集中」領域に存在するユーザＷに対して冷刺激を与え、ユーザＷの集中力の上昇を促進する。
【０１０６】
ステップＳ２２０での予冷運転が完了すると、ステップＳ２３０において、空気調和装置は、「集中」領域に対して、予冷運転完了後の室内温度、すなわち設定温度より３℃低い温度を維持し、集中途中のユーザＷの温冷感を維持する空調運転を開始する。
【０１０７】
ステップＳ２４０において、空気調和装置は、「集中」領域の活動量レベルが変化しているか否か、すなわちユーザＷの活動量が「安静」レベルおよび／または「小」レベルであるか否かを判定する。活動量レベルが変化していない場合、ステップＳ２５０に進む。そうでない場合、ユーザＷの集中が切れて該ユーザＷの活動量が増加したと判定し、集中モード運転を終了する。
【０１０８】
ステップＳ２５０において、空気調和装置は、集中モード運転が開始されてから「集中」領域の活動量が低下したか否かを判定する。すなわち、集中維持運転を開始する所定の開始条件が成立したか否かを判定する。活動量が低下した場合、ステップＳ２６０に進む。そうでない場合、ステップＳ２４０に戻る。
【０１０９】
ステップＳ２６０において、「安静」領域および／または「活動量小」領域である「集中」領域に対して、集中維持運転として、「活動量中」領域に対応する空調運転を開始する。
【０１１０】
ステップＳ２７０において、ステップＳ２４０と同様に、空気調和装置は、「集中」領域の活動量レベルが変化していないか否かを判定する。活動量レベルが変化していない場合、ステップＳ２８０に進む。そうでない場合、ユーザＷの集中が切れて該ユーザＷの活動量が増加したと判定し、集中モード運転を終了する。
【０１１１】
ステップＳ２８０において、運転終了フラグが発生すると、空気調和装置は、集中モード運転を終了する。運転終了フラグが発生していない場合には、ステップＳ２７０に戻る。
【０１１２】
以上のような本実施の形態２によれば、上述の実施の形態１と同様に、知的作業に集中しているユーザに対して快適な空調を提供することができる。
【０１１３】
（実施の形態３）
上述の実施の形態１では、集中モード運転中において、集中維持運転を開始するための所定の開始条件は、集中モード運転を開始してから所定の第１の時間（例えば１５分）経過すると成立する。本実施の形態３は、集中モード運転中において集中維持運転を開始する所定の開始条件が上述の実施の形態１のものと異なる。したがって、この異なる所定の開始条件を中心にして本実施の形態３について説明する。
【０１１４】
図７に示すように、ユーザの体温は、集中維持運転を開始すべきタイミングＰ２、すなわちユーザＷの集中力が最大に達したタイミングＰ２の直前から上昇し始める。したがって、ユーザの体温をモニタリングし、そのモニタリング中の体温が、集中モード運転の開始時の体温から所定の温度Δｔｂ上昇したタイミングを、集中維持運転を開始する所定の開始条件が成立するタイミングとみなすことができる。
【０１１５】
所定の温度Δｔｂ上昇の判定は、温度の変化量に基づく。例えば、集中モード運転の開始時に体温を測定し、その後５分おきにユーザＷの体温を測定する。集中モード運転の開始時の体温に対して、０．２℃以上上昇したタイミングを所定の開始条件が成立するタイミングとしている。
【０１１６】
なお、集中モード運転の開始時の体温に基づかず、定期的に使用者Ｗの体温を測定し、その平均値を「集中モード運転の開始時の体温」としてもよい。また、体温上昇については、変化量に基づかずとも、体温の絶対量に基づいてもよいし、変化率でもよい。絶対量に基づく場合は、運転モード運転の開始時に体温に０．２℃を加えた値を閾値とすることが好ましい。変化率に基づく場合は５分間の変化率が１％であることが好ましい。
【０１１７】
なお、ユーザの体温のモニタリングは、ユーザの身体に装着可能な、例えば体温センサ付きのウェラブル端末によって行うことができる。すなわち、本実施の形態３に係る空気調和システムは、ユーザの体温を測定する体温測定部を含んでいる。
【０１１８】
次に、本実施の形態３に係る空気調和システムの空気調和装置における集中モード運転時の動作の流れについて説明する。
【０１１９】
図１１は、本実施の形態３に係る空気調和システムの空気調和装置の集中モード運転時における動作の流れの一例を示すフローチャート図である。
【０１２０】
図１１に示す一連の動作は、ユーザＷによって集中モード運転の開始が指示されてスタートする。
【０１２１】
ステップＳ３００において、空気調和装置は、活動量推定部によって推定された「安静」領域および／または「活動量小」領域が存在するか否かを判定する。「安静」領域または「活動量小」領域が存在する場合、ステップＳ３１０に進む。そうでない場合、集中モード運転を終了する。
【０１２２】
ステップＳ３１０において、空気調和装置は、「安静」領域および／または「活動量小」領域を、集中し始めたユーザＷが存在する「集中」領域と認定する。
【０１２３】
ステップＳ３２０において、空気調和装置は、ステップＳ３１０で認定された「集中」領域に対して、設定温度より３℃低い室内温度にするための予冷運転を、３〜５分間で実行する。これにより、室内温度が設定温度より低い温度になり、「集中」領域に存在するユーザＷに対して冷刺激を与え、ユーザＷの集中力の上昇を促進する。
【０１２４】
ステップＳ３２０での予冷運転が完了すると、ステップＳ３３０において、空気調和装置は、「集中」領域に対して、予冷運転完了後の室内温度、すなわち設定温度より３℃低い温度を維持し、集中途中のユーザＷの温冷感を維持する空調運転を開始する。
【０１２５】
ステップＳ３４０において、空気調和装置は、「集中」領域の活動量レベルが変化していないか否か、すなわちユーザＷの活動量が「安静」レベルおよび／または「小」レベルであるか否かを判定する。活動量レベルが変化していない場合、ステップＳ３５０に進む。そうでない場合、ユーザＷの集中が切れて該ユーザＷの活動量が増加したと判定し、集中モード運転を終了する。
【０１２６】
ステップＳ３５０において、空気調和システムの体温測定部（例えばウェラブル端末）は、ユーザの体温を測定する。
【０１２７】
ステップＳ３６０において、空気調和装置は、ユーザの体温が集中運転モード開始時の体温からの体温上昇量が所定のしきい値を超えているか否か、すなわち集中維持運転を開始する所定の開始条件が成立しているか否かを判定する。超えている場合には、ステップＳ３７０に進む。そうでない場合はステップＳ３４０に戻る。
【０１２８】
ステップＳ３７０において、「安静」領域および／または「活動量小」領域である「集中」領域に対して、集中維持運転として、「活動量中」領域に対応する空調運転を開始する。
【０１２９】
ステップＳ３８０において、ステップＳ３４０と同様に、空気調和装置は、「集中」領域の活動量レベルが変化していないか否かを判定する。活動量レベルが変化していない場合、ステップＳ３９０に進む。そうでない場合、ユーザＷの集中が切れて該ユーザＷの活動量が増加したと判定し、集中モード運転を終了する。
【０１３０】
ステップＳ３９０において、運転終了フラグが発生すると、空気調和装置は、集中モード運転を終了する。運転終了フラグが発生していない場合には、ステップＳ３７０に戻る。
【０１３１】
以上のような本実施の形態３によれば、上述の実施の形態１と同様に、知的作業に集中しているユーザに対して快適な空調を提供することができる。
【０１３２】
（実施の形態４）
上述の実施の形態１〜３の場合、ユーザの活動量は人体検出センサの検出結果に基づいて推定される。具体的には、人体検出センサに含まれる複数の赤外線センサ素子の検出エリアそれぞれでの人体検出頻度に基づいて、ユーザの活動量と該ユーザの位置とを推定する。これと異なり、本実施の形態４にでは、異なる方法でユーザの活動量を推定する。したがって、この異なる点を中心に、本実施の形態４について説明する。
【０１３３】
本実施の形態４に係る空気調和システムは、体動検出装置として、ユーザに装着されて該ユーザの加速度を測定する加速度測定装置を含んでいる。加速度測定装置は、例えば加速度センサを備えたウェラブル端末である。
【０１３４】
本実施の形態４に係る空気調和システムにおける活動量推定部は、加速度測定装置によって測定された加速度の変化に基づいてユーザの活動量を推定する。例えば、所定のしきい値を超える加速度の変化頻度が高いほど、またその変化量が大きいほど、大きい活動量が推定される。そして、集中モード運転中に、集中維持運転の所定の開始条件（例えば、集中モード運転の開始から１５分経過またはユーザの体温の上昇）が成立すると、活動量推定部によって推定された活動量を増加補正し（例えば３０％増分する）、その増加補正された活動量に対応する空調運転を、空気調和装置が実行する。
【０１３５】
なお、本実施の形態４の場合、上述の実施の形態１〜３とは異なり、ユーザの位置を推定しないため、ユーザが存在する室内全体に対して集中モード運転が実行される。
【０１３６】
以上のような本実施の形態４によれば、上述の実施の形態１〜３と同様に、知的作業に集中しているユーザに対して快適な空調を実現することができる。
【０１３７】
以上、上述の４つの実施の形態を挙げて本発明を説明したが、本発明はこれらの実施の形態に限定されない。
【０１３８】
例えば、上述の実施の形態１の場合、図５に示すように、集中モード運転の開始後（タイミングＰ１後）、ユーザの集中力の上昇を促すためにユーザの温冷感を低下させる予冷運転が実行される。例えば、予冷運転として、設定温度より３℃低い室内温度にする空調運転が実行される。しかしながら、本発明の実施の形態はこれに限らない。
【０１３９】
例えば、集中モード運転開始タイミング時の室内温度が低い場合、例えばユーザが「寒い」または「涼しい」と感じるような室内温度である場合、予冷運転を実行してユーザの温冷感をさらに低下させると、かえってユーザの集中を妨げる場合がある。したがって、例えば、集中モード運転開始時の室内温度が所定の温度に比べて低い場合には、予冷運転を実行しないようにしてもよい。
【０１４０】
さらに、上述の実施の形態２および３の場合、図１０および図１１に示すように、集中モード運転を開始してから１５分経過する前に、ステップＳ２６０およびＳ３７０の集中維持運転を開始する可能性がある。１５分経過する前に集中維持運転を開始すると、集中力が最大に達していない状態、すなわち「暑い」と感じていないユーザの温冷感を低下させることなり、ユーザの集中力が低下する可能性がある。そこで、集中維持運転を開始する所定の開始条件が成立しても集中モード運転を開始してから１３分経過していないときは、１５分経過するまで集中維持運転の開始を遅らせるようにしてもよい。また、これと異なり、集中モード運転を開始してから１５分経過しても集中維持運転を開始する所定の開始条件が成立しない場合には、１７分経過後に強制的に集中維持運転を開始してもよい。
【０１４１】
さらにまた、上述の実施の形態１〜３の場合には、図４に示すように、複数の空調対象領域において、ユーザが存在する空調対象領域である「集中」領域に対して集中モード運転が実行される。また、ユーザが存在する「集中」領域は、活動量推定部によって推定される。しかしながら、本発明の実施の形態はこれに限らない。例えば、ユーザが、集中モード運転が実行される空調対象領域を選択できるように空気調和システムを構成してもよい。例えば、リモートコントローラがタッチスクリーン部を備え、そのタッチスクリーン部に図４に示す複数の空調対象領域を表示する。タッチスクリーン部に表示された複数の空調対象領域のいずれかをユーザがタッチすることにより、集中モード運転が実行される空調対象領域がユーザによって選択される。
【０１４２】
また例えば、上述の実施の形態１〜３において、集中モード運転が実行される度に「集中」領域と認定された空調対象領域をメモリなどの記憶部に記憶し、その記憶部に蓄積された「集中」領域の履歴に基づいて、集中モード運転が実行される、すなわち集中して知的作業を行うユーザが存在する「集中」領域を認定してもよい。実質的に身体を動かすことなく集中して行われる知的作業は、図１に示すように、例えば机が設置されている空調対象領域で行われる。そのため、「集中」領域は、机のレイアウト変更がないかぎりは、変わらない。
【０１４３】
加えて、ユーザの活動量は、上述の実施の形態１〜３では人体検出センサの検出結果に基づいて、上述の実施の形態４では加速度センサの検出結果に基づいて推定される。しかしながら、本発明の実施の形態はこれに限らない。例えば、空気調和システムが体動検出装置としてカメラを含み、カメラの撮影画像に写るユーザの像の変化量に基づいて、そのユーザの活動量を推定することも可能である。
【０１４４】
加えてまた、ある実施の形態の少なくとも一部に対して別の少なくとも１つの実施の形態を全体としてまたは部分的に組み合わせて本発明に係るさらなる実施の形態とすることが可能であることは、当業者にとって明らかである。
【産業上の利用可能性】
【０１４５】
本発明は、ユーザが存在する室内の空調を行う空気調和システムに適用可能である。
【符号の説明】
【０１４６】
１０    空気調和システム
２０    空気調和装置
４６    指示入力部（リモートコントローラ）
４８    体動検出装置（人体検出センサ）
５４    活動量推定部
【図１】
2020051696.tif 000003
【図２】
2020051696.tif 000004
【図３】
2020051696.tif 000005
【図４】
2020051696.tif 000006
【図５】
2020051696.tif 000007
【図６】
2020051696.tif 000008
【図７】
2020051696.tif 000009
【図８】
2020051696.tif 000010
【図９】
2020051696.tif 000011
【図１０】
2020051696.tif 000012
【図１１】
2020051696.tif 000013